(57)【特許請求の範囲】
【請求項１】
化粧品容器に固形化粧料を成形する方法であって、
前記化粧品容器の化粧品内容器１０内に設けられた化粧料プレート３０に、充填ガイド部材７０を配設し、前記充填ガイド部材７０内に化粧料を充填して固化した後に、前記充填ガイド部材７０を除去し、前記化粧品内容器１０の内側面と固化済み化粧料の側面の間に前記充填ガイド部材７０の厚さ分の余裕空間を設けて、化粧料の切削過程においてせり出された化粧料が落下して安着されることを特徴とする固形化粧料の成形方法。
【請求項２】
化粧品容器に固形化粧料を成形する方法であって、
（ａ）化粧料が収容される化粧品内容器１０を用意するステップと、
（ｂ）記化粧品内容器１０内に設けられた化粧料プレート３０に、充填ガイド部材７０を配設するステップと、
（ｃ）前記充填ガイド部材７０内に化粧料を充填して固化させるステップと、
（ｄ）記充填ガイド部材７０を除去し、前記化粧品内容器１０の内側面と固化済み化粧料の側面の間に前記充填ガイド部材７０の厚さ分の余裕空間を設けるステップと、を含み、
化粧料の切削過程においてせり出された化粧料は、前記余裕空間に落下して安着されることを特徴とする固形化粧料の成形方法。
【請求項３】
前記充填ガイド部材７０を配設するステップは、
（ｂ−１）前記化粧料プレート３０にプレート軸２０を螺合するステップと、
（ｂ−２）前記化粧品内容器１０の底に、前記プレート軸２０と結合された化粧料プレート３０を配設するステップと、
（ｂ−３）前記化粧料プレート３０の上枠と化粧品内容器１０の内側面に密着されるように、充填ガイド部材７０を配設するステップと、を含むことを特徴とする請求項１又は２に記載の固形化粧料の成形方法。
【請求項４】
前記（ｂ−２）ステップは、前記化粧品内容器１０の内側面に設けられた少なくとも１つ以上の突出ガイドに、化粧料プレート３０の外側面に設けられた少なくとも１つ以上のガイド溝が拘束されるように結合されることを特徴とする請求項３に記載の固形化粧料の成形方法。
【請求項５】
前記充填ガイド部材７０は、上部の外側に鍔が形成された中空の筒状構造体であり、前記化粧品内容器１０の内側面に密着される直径を有するように形成されることを特徴とする請求項１又は２に記載の固形化粧料の成形方法。
【請求項６】
前記充填ガイド部材７０は、前記化粧料と当接する内側面が、アノダイジング又はシリコン離型剤で処理されることを特徴とする請求項１又は２に記載の固形化粧料の成形方法。
【請求項７】
更に、前記化粧品内容器１０の上部にグラインダ４０を結合し、前記グラインダ４０がプレート軸２０と嵌合され、前記グラインダ４０の底面が化粧料の上面に配設されるステップを含むことを特徴とする請求項１又は２に記載の固形化粧料の成形方法。
【請求項８】
化粧料及び前記化粧料が充填される固形化粧品容器を含む化粧品であって、
化粧品内容器１０と、前記化粧品内容器１０の内側底面に配設されるプレート軸２０と、
前記プレート軸２０と結合され、化粧料（ｐ）が安着される化粧料プレート３０と、前記プレート軸２０を回動させて、前記化粧料プレート３０が上下方向に移動するように結合され、回転しながら、前記化粧料（ｐ）の上面を切削するように配設されるグラインダ４０と、を含み、
前記化粧品内容器１０の内側面と前記化粧料プレート３０に安着し固化した化粧料の側面の間に化粧料の切削過程においてせり出された化粧料が落下して安着される余裕空間を設けることを特徴とする化粧料及び固形化粧品容器を含む化粧品。
【請求項９】
前記化粧品内容器１０は、上部が開放し、内部に化粧料（ｐ）が収容される収容部が設けられ、側面には、第１の側面部１１と第２の側面部１２が段差を置いて、内部から外部へ順次一定の間隔離隔して形成されることを特徴とする請求項８に記載の化粧品。
【請求項１０】
前記第１の側面部１１の内側面には、複数の第１の突出ガイド１１ａが上下方向に突設されることを特徴とする請求項９に記載の化粧品。
【請求項１１】
前記収容部の底面中央には、任意の高さを有するガイド壁１５が所定の内径を有するように形成され、前記ガイド壁１５の内側面に、上下方向に第２の突出ガイド１５ａが設けられることを特徴とする請求項９に記載の化粧品。
【請求項１２】
前記プレート軸２０は、所定の大きさを有する回転板２１と、前記回転板２１の中心部に垂直に立設される回転軸棒２２とを含むことを特徴とする請求項８に記載の化粧品。
【請求項１３】
前記回転軸棒２２には、断面が多角形状である軸捧貫通孔２２ａが上下方向に設けられることを特徴とする請求項１２に記載の化粧品。
【請求項１４】
前記軸捧貫通孔２２ａは、グラインダ４０のシャフト４４が嵌合され、前記グラインダ４０の回転により、プレート軸２０が回動されることを特徴とする請求項１３に記載の化粧品。
【請求項１５】
前記回転軸棒２２の外側面には、ねじ山が刻まれることを特徴とする請求項１２に記載の化粧品。
【請求項１６】
前記化粧料プレート３０は、
前記化粧料（ｐ）が安着されるプレート上面部３１と、
前記プレート上面部３１の枠で下向きに折曲形成された所定の高さを有するプレート側面部３２と、
前記プレート上面部３１の中心部に形成された結合貫通孔に連通して下向きに形成され、内部にねじ山が刻まれる軸結合部３３と、を含むことを特徴とする請求項８に記載の化粧品。
【請求項１７】
前記軸結合部３３は、前記プレート軸２０の回転軸棒２２と螺合することを特徴とする請求項１６に記載の化粧品。
【請求項１８】
前記プレート側面部３２には、前記化粧品内容器１０の第１の突出ガイド１１ａに拘束されて上下方向にガイドされる複数の第１のガイド溝３２ａが設けられることを特徴とする請求項１６に記載の化粧品。
【請求項１９】
前記化粧料プレート３０の下部には、所定の高さを有するガイド溝壁３５が環状に形成され、前記ガイド溝壁３５の外側面には、複数の第２のガイド溝３５ａが上下方向に設けられることを特徴とする請求項８又は１６に記載の化粧品。
【請求項２０】
前記ガイド溝壁３５の内径は、前記化粧品内容器１０底面に形成されたガイド壁１５の内径より小さく又は等しく形成されることを特徴とする請求項１９に記載の化粧品。
【請求項２１】
前記ガイド溝壁３５の高さは、前記化粧料プレート３０のプレート側面部３２の高さより小さく又は等しく形成されることを特徴とする請求項１９に記載の化粧品。
【請求項２２】
前記ガイド溝壁３５の内径は、前記プレート軸２０の回転板２１の直径よりも大きく形成されることを特徴とする請求項１９に記載の化粧品。
【請求項２３】
前記グラインダ４０は、
枠が上部に突出し、底が扁平な井戸状に形成され、底面に吐出溝４１ａが複数形成されたグラインダ上面４１と、
前記グラインダ上面４１の枠から下向きに所定の高さを有するように折曲形成され、外側面の枠に環状溝４２ａが形成されるグラインダ側面部４２と、
前記グラインダ上面部４１の下部に、所定の高さと内径を有するように形成される環状封止部４３と、
前記グラインダ４０の下部中心部に、下面と一体に形成された断面が多角形状のシャフト４４とを含むことを特徴とする請求項８に記載の化粧品。
【請求項２４】
前記吐出溝４１ａの下部一側のスリット辺には、前記吐出溝４１ａに沿って、切削刃４１ｂが所定の高さで突設されることを特徴とする請求項２３に記載の化粧品。
【請求項２５】
前記吐出溝４１ａの長さは、前記化粧料プレート３０に安着された化粧料の半径よりも大きいことを特徴とする請求項２３又は２４に記載の化粧品。
【請求項２６】
前記吐出溝４１ａは、切削済み化粧料が吐出されるように、前記グラインダ４０の回転方向に対して、前記切削刃４１ｂよりも前に位置することを特徴とする請求項２４に記載の化粧品。
【請求項２７】
前記吐出溝４１ａは、少なくとも１つ以上設けられ、その大きさ又は間隔が同一又は互いに異なることを特徴とする請求項２３に記載の化粧品。
【請求項２８】
前記切削刃４１ｂは、少なくとも１つ以上設けられ、その高さ又は間隔が同一又は互いに異なることを特徴とする請求項２４に記載の化粧品。
【請求項２９】
前記切削刃４１ｂは、下向き端部が前方向に所定の勾配を有するように傾斜して形成されることを特徴とする請求項２４に記載の化粧品。
【請求項３０】
前記切削刃４１ｂは、下向き端部が垂直に延在し、４５度の角度を有する直角三角形状であることを特徴とする請求項２４に記載の化粧品。
【請求項３１】
前記グラインダ側面部４２の内側面枠には、環状溝４２ａが設けられ、前記化粧品内容器１０の第２の側面部１２の外側上枠に形成された円環突起１３に嵌合することをトクチョウトする請求項２３に記載の化粧品。
【請求項３２】
更に、前記化粧料プレート３０の平衡を維持する平衡保持手段を含むことを特徴とする請求項８に記載の化粧品。
【請求項３３】
前記平衡保持手段は、複数の圧縮された弾性体（Ｓ）が、前記化粧料プレート３０の中心軸を基準に、所定距離に放射状に配列される第１の平衡保持手段６１０であることを特徴とする請求項３２に記載の化粧品。
【請求項３４】
前記第１の平衡保持手段６１０は、各弾性体（Ｓ）の前端は、化粧料プレート３０の下面の所定位置に拘束固定され、前記各弾性体（Ｓ）の後端は、化粧品内容器１０の底面の対応位置に拘束固定されることを特徴とする請求項３３に記載の化粧品。
【請求項３５】
前記平衡保持手段は、複数のギア部が連動して作動する第２の平衡保持手段６２０であることを特徴とする請求項３２に記載の化粧品。
【請求項３６】
前記第２の平衡保持手段６２０は、
前記化粧料プレート３０の中心部に形成された軸結合部３３０に結合する鋸歯形状を有する回転板２１０と、前記回転板２１０の中心部に９０度に形成された回転軸棒２２０とからなるプレート軸２００と、
前記回転板２１０に噛合して回動する鋸歯形状を有する連動回転板６２１ａと、前記連動回転板６２１ａの中心部に９０度に形成され、外側面にねじ山が刻まれる連動回転軸棒６２１ｂとからなる複数のギア部６２１と、
前記化粧料プレート３０の下面の所定位置に下向きに設けられ、前記連動回転軸棒６２１ｂと螺合するナット状の複数の連動軸結合部６２２と、を含むことを特徴とする請求項３５に記載の化粧品。
【発明の詳細な説明】
【技術分野】
【０００１】
本発明は、固形化粧料の成形方法、及び該化粧料が充填された固形化粧品容器に関し、より詳しくは、上面をグラインドして使用する固形化粧料を、化粧品容器の内容器の内側面に密着することなく、余裕空間を有するように充填して固化させることで、化粧料が安着された化粧料プレートが上下方向に円滑にガイドされ、化粧品容器の一部を回転することによって、固形化粧料の上面が円滑に切削されて、一定量ずつ吐出させる固形化粧料の成形方法、及び該化粧料が充填された固形化粧品容器に関する。
【背景技術】
【０００２】
化粧品は、大きく、化粧成分を含浸している化粧料と、化粧料を保管する化粧料容器とからなる。一般に、化粧品は、便利性、安全性、使用感、衛生性などが求められ、化粧料の剤型により、前記要求条件を満たすような化粧品容器の構成が変わることになる。また、化粧料は、主に固状、液状、又はゲル状から製造されて使用されており、このような化粧料の剤型及び化粧料を使う方式により、化粧品容器も様々に製造されている。
【０００３】
従来の固形化粧品容器は、内容器に設けられた固形の化粧料を、パフを用いてパフに付けた後、皮膚に付ける方式を取っている。しかし、これは、パフを繰返しタッチして、化粧料をパフに付けなければならないという不便さがあり、化粧料の上部が開放した状態で設けられるので、長期間の保管及び衛生に脆弱であるという不都合がある。また、固形化粧料の使用量を調節することが容易でないため、化粧料の無駄を防止し難く、一定量又は少量ずつ使用することにも限界があった。
【０００４】
また、固形化粧料は、パウダーを圧縮するか、又は、パウダーを練って固くしたものを使うので、従来の化粧品容器を用いても構わないが、ワックス含有の固形タイプの化粧料は、外部の力により、化粧品容器の内容器から脱落しやすいので、ワックス含有の固形タイプの化粧料に適用するには、限界があった。
【０００５】
これに、大韓民国登録実用新案第２０−０４０４００９号には、パウダー容器内で一方向に回転した時、固形分の化粧料を掻き出して使用することができるパウダー容器が掲示されている。しかし、前記従来技術は、鋸歯を設けて、一方向にのみ回転するように構成されており、鋸歯の動きによって、化粧料が偏って擦れが生じるという問題がある。このように、化粧料の表面にムラがあると、一方向への回転時に、所望する量の化粧料が吐出しなくなるという問題点がある。
【０００６】
また、従来のワックス含有の固形タイプの化粧料を化粧品容器に充填する方式は、化粧料バルクを高温で溶融して液体とし、これを化粧料内容器に入れて固める方式である。しかし、この固める過程において、内容器壁面に化粧料がくっつく現象が生じることになる。このようになると、化粧料は、化粧品容器の内容器壁面に沿って、上部への移動が容易でなくなり、また、回転グラインダの回転に対応して、化粧料が上部に移動しないことで、回転グラインダは空転することになり、結果として、化粧料を吐出させることができなくなるという問題点がある。
【先行技術文献】
【特許文献】
【０００７】
【特許文献１】大韓民国登録実用新案公報第２０−０４０４００９号
【発明の概要】
【発明が解決しようとする課題】
【０００８】
本発明は、上述した問題点を解決するためになされたものであって、その目的は、化粧品容器に固形の化粧料を充填して固化させることにおいて、充填ガイド部材を用いて、内容器の内側面と固化済み化粧料の側面の間に余裕空間を設けることで、化粧品容器の内容器に化粧料がくっつくことなく、円滑に吐出させることにある。
【０００９】
本発明の他の目的は、グラインダの回転により化粧料の上面が切削されることによって、その表面を平らに維持することができ、切削過程において外側にせり出された化粧料の一部が、余裕空間に安着できるようにすることで、化粧料の上面をより滑らかに維持することにある。
【００１０】
本発明の更に他の目的は、回転切削が容易であるように切削刃を設けることで、化粧料の掻かれムラを防止し、使用時、化粧料が正常に引っ掻かれて吐出されることにある。
【００１１】
また、本発明の他の目的は、化粧料プレートの作動過程でも、平衡を維持するようにして、化粧料の上面をムラなく切削することで、所望する一定量の化粧料が吐出されることにある。
【００１２】
更に、本発明の他の目的は、吐出された化粧料をパフに付けることが容易で、且つ、化粧料の上部が開放することを防止して、長期間保管及び衛生的な使用が可能にすることにある。
【課題を解決するための手段】
【００１３】
前記目的を達成するために、本発明による固形化粧料の成形方法は、化粧品容器に固形化粧料を成形する方法であって、前記化粧品容器の化粧品内容器１０内に設けられた化粧料プレート３０に、充填ガイド部材７０を配設し、前記充填ガイド部材７０内に化粧料を充填して固化した後に、前記充填ガイド部材７０を除去し、前記化粧品内容器１０の内側面と固化済み化粧料の側面の間に前記充填ガイド部材７０の厚さ分の余裕空間を設けて、化粧料の切削過程においてせり出された化粧料が落下して安着されることを特徴とする。
【００１４】
また、前記目的を達成するために、本発明による固形化粧料の成形方法は、化粧品容器に固形化粧料を成形する方法であって、（ａ）化粧料が収容される化粧品内容器１０を用意するステップと、（ｂ）前記化粧品内容器１０内に設けられた化粧料プレート３０に、充填ガイド部材７０を配設するステップと、（ｃ）前記充填ガイド部材７０内に化粧料を充填して固化させるステップと、（ｄ）前記充填ガイド部材７０を除去し、前記化粧品内容器１０の内側面と固化済み化粧料の側面の間に前記充填ガイド部材７０の厚さ分の余裕空間を設けるステップと、を含み、化粧料の切削過程においてせり出された化粧料は、前記余裕空間に落下して安着されることを特徴とする。
【００１５】
前記充填ガイド部材７０を配設するステップは、（ｂ−１）前記化粧料プレート３０にプレート軸２０を螺合するステップと、（ｂ−２）前記化粧品内容器１０の底に、前記プレート軸２０と結合された化粧料プレート３０を配設するステップと、（ｂ−３）前記化粧料プレート３０の上枠と化粧品内容器１０の内側面に密着されるように、充填ガイド部材７０を配設するステップと、を含む。
【００１６】
前記（ｂ−２）ステップは、前記化粧品内容器１０の内側面に設けられた少なくとも１つ以上の突出ガイドに、化粧料プレート３０の外側面に設けられた少なくとも１つ以上のガイド溝が拘束されるように結合される。
【００１７】
前記充填ガイド部材７０は、上部の外側に鍔が形成された中空の筒状構造体であり、前記化粧品内容器１０の内側面に密着される直径を有するように形成される。
【００１８】
前記充填ガイド部材７０は、前記化粧料と当接する内側面が、アノダイジング又はシリコン離型剤で処理される。
【００２１】
更に、前記化粧品内容器１０の上部にグラインダ４０を結合し、前記グラインダ４０がプレート軸２０と嵌合され、前記グラインダ４０の底面が化粧料の上面に配設されるステップを含む。
【００２２】
更に、前記目的を達成するために、本発明は、化粧料及び前記化粧料が充填される固形化粧品容器を含む化粧品であって、化粧品内容器１０と、前記化粧品内容器１０の内側底面に配設されるプレート軸２０と、前記プレート軸２０と結合され、化粧料（ｐ）が安着される化粧料プレート３０と、前記プレート軸２０を回動させて、前記化粧料プレート３０が上下方向に移動するように結合され、回転しながら、前記化粧料（ｐ）の上面を切削するように配設されるグラインダ４０と、を含み、前記化粧品内容器１０の内側面と前記化粧料プレート３０に安着し固化した化粧料の側面の間に化粧料の切削過程においてせり出された化粧料が落下して安着される余裕空間を設けることを特徴とする。
【００２３】
前記化粧品内容器１０は、上部が開放し、内部に化粧料（ｐ）が収容される収容部が設けられ、側面には、第１の側面部１１と第２の側面部１２が段差を置いて、内部から外部へ順次一定の間隔離隔して形成される。
【００２４】
前記第１の側面部１１の内側面には、複数の第１の突出ガイド１１ａが上下方向に突設される。
【００２５】
前記収容部の底面中央には、任意の高さを有するガイド壁１５が所定の内径を有するように形成され、前記ガイド壁１５の内側面に、上下方向に第２の突出ガイド１５ａが設けられる。
【００２６】
前記プレート軸２０は、所定の大きさを有する回転板２１と、前記回転板２１の中心部に垂直に立設される回転軸棒２２とを含む。
【００２７】
前記回転軸棒２２には、断面が多角形状である軸棒貫通孔２２ａが上下方向に設けられる。
【００２８】
前記軸棒貫通孔２２ａは、グラインダ４０のシャフト４４が嵌合され、前記グラインダ４０の回転により、プレート軸２０が回動される。
【００２９】
前記回転軸棒２２の外側面には、ねじ山が刻まれる。
【００３０】
前記化粧料プレート３０は、前記化粧料（ｐ）が安着されるプレート上面部３１と、前記プレート上面部３１の枠で下向きに折曲形成された所定の高さを有するプレート側面部３２と、
前記プレート上面部３１の中心部に形成された結合貫通孔に連通して下向きに形成され、内部にねじ山が刻まれる軸結合部３３と、を含む。
【００３１】
前記軸結合部３３は、前記プレート軸２０の回転軸棒２２と螺合する。
【００３２】
前記プレート側面部３２には、前記化粧品内容器１０の第１の突出ガイド１１ａに拘束されて上下方向にガイドされる複数の第１のガイド溝３２ａが設けられる。
【００３３】
前記化粧料プレート３０の下部には、所定の高さを有するガイド溝壁３５が環状に形成され、前記ガイド溝壁３５の外側面には、複数の第２のガイド溝３５ａが上下方向に設けられる。
【００３４】
前記ガイド溝壁３５の内径は、前記化粧品内容器１０底面に形成されたガイド壁１５の内径より小さく又は等しく形成される。
【００３５】
前記ガイド溝壁３５の高さは、前記化粧料プレート３０のプレート側面部３２の高さより小さく又は等しく形成される。
【００３６】
前記ガイド溝壁３５の内径は、前記プレート軸２０の回転板２１の直径よりも大きく形成される。
【００３７】
前記グラインダ４０は、枠が上部に突出し、底が扁平な井戸状に形成され、底面に吐出溝４１ａが複数形成されたグラインダ上面４１と、前記グラインダ上面４１の枠から下向きに所定の高さを有するように折曲形成され、外側面の枠に環状溝４２ａが形成されるグラインダ側面部４２と、前記グラインダ上面部４１の下部に、所定の高さと内径を有するように形成される環状封止部４３と、前記グラインダ４０の下部中心部に、下面と一体に形成された断面が多角形状のシャフト４４とを含む。
【００３８】
前記吐出溝４１ａの下部一側のスリット辺には、前記吐出溝４１ａに沿って、切削刃４１ｂが所定の高さで突設される。
【００３９】
前記吐出溝４１ａの長さは、前記化粧料プレート３０に安着された化粧料の半径よりも大きい。
【００４０】
前記吐出溝４１ａは、切削済み化粧料が吐出されるように、前記グラインダ４０の回転方向に対して、前記切削刃４１ｂよりも前に位置する。
【００４１】
前記吐出溝４１ａは、少なくとも１つ以上設けられ、その大きさ又は間隔が同一又は互いに異なる。
【００４２】
前記切削刃４１ｂは、少なくとも１つ以上設けられ、その高さ又は間隔が同一又は互いに異なる。
【００４３】
前記切削刃４１ｂは、下向き端部が前方向に所定の勾配を有するように傾斜して形成される。
【００４４】
前記切削刃４１ｂは、下向き端部が垂直に延在し、４５度の角度を有する直角三角形状である。
【００４５】
前記グラインダ側面部４２の内側面枠には、環状溝４２ａが設けられ、前記化粧品内容器１０の第２の側面部１２の外側上枠に形成された円環突起１３に嵌合する。
【００４６】
更に、前記化粧料プレート３０の平衡を維持する平衡保持手段を含むことを特徴とする。
【００４７】
前記平衡保持手段は、複数の圧縮された弾性体（Ｓ）が、前記化粧料プレート３０の中心軸を基準に、所定距離に放射状に配列される第１の平衡保持手段６１０である。
【００４８】
前記第１の平衡保持手段６１０は、各弾性体（Ｓ）の前端は、化粧料プレート３０の下面の所定位置に拘束固定され、前記各弾性体（Ｓ）の後端は、化粧品内容器１０の底面の対応位置に拘束固定される。
【００４９】
前記平衡保持手段は、複数のギア部が連動して作動する第２の平衡保持手段６２０である。
【００５０】
前記第２の平衡保持手段６２０は、前記化粧料プレート３０の中心部に形成された軸結合部３３０に結合する鋸歯形状を有する回転板２１０と、前記回転板２１０の中心部に９０度に形成された回転軸棒２２０とからなるプレート軸２００と、前記回転板２１０に噛合して回動する鋸歯形状を有する連動回転板６２１ａと、前記連動回転板６２１ａの中心部に９０度に形成され、外側面にねじ山が刻まれる連動回転軸棒６２１ｂとからなる複数のギア部６２１と、前記化粧料プレート３０の下面の所定位置に下向きに形成され、前記連動回転軸棒６２１ｂと螺合するナット状の複数の連動軸結合部６２２と、を含む。
【発明の効果】
【００５２】
本発明による化粧品容器に固形の化粧料を充填して固化させることにおいて、充填ガイド部材を用いて、内容器の内側面と固化済み化粧料の側面の間に余裕空間を設けることで、化粧品容器の内容器に化粧料がくっつくことなく、円滑に吐出することができる。
【００５３】
また、グラインダの回転により化粧料の上面が切削されることで、その表面を平らに維持することができ、切削過程において外側にせり出された化粧料の一部が、余裕空間に安着できるようにすることで、化粧料の上面をより滑らかに維持することができる。
【００５４】
更に、回転切削が容易であるように切削刃を設けることで、化粧料の掻かれムラを防止して、使用時、化粧料が正常に引っ掻かれて吐出される。
【００５５】
また、化粧料プレートの作動過程においても平衡が維持されるようにして、化粧料の上面をムラなく切削して、所望する一定量の化粧料を吐出させることができる。
【００５６】
更に、吐出された化粧料をパフに付けることが容易で、且つ、化粧料の上部が開放されることを防止して、長期間保管及び衛生的な使用が可能である。
【００５７】
そして、パウダーを圧縮するか、又はパウダーを練って固くした固形化粧料だけでなく、ワックス含有の固形タイプの化粧料にも適用可能である。
【図面の簡単な説明】
【００５８】
【図１】図１は、本発明の一実施例による固形化粧料の成形方法を示す図である。
【図２】図２は、本発明の一実施例による充填ガイド部材及び化粧料の成形方法を示す図である。
【図３】図３は、本発明の一実施例による固形化粧料が安着された化粧品容器の平面図である。
【図４】図４は、本発明の一実施例による固形化粧品容器の分解斜視図である。
【図５】図５は、本発明の一実施例によるプレート軸と化粧料プレートの作動図である。
【図６】図６は、本発明の一実施例によるグラインダの断面図である。
【図７】図７（ａ）は、本発明の一実施例による吐出溝、下向き端部が所定の勾配を有するように傾斜して構成された切削刃が示されているグラインダの部分断面図、図７（ｂ）は、本発明の他の実施例による吐出溝、下向き端部が垂直に伸び、４５度の角度を有する直角三角形状である切削刃が示されているグラインダの部分断面図である。
【図８】図８は、本発明の一実施例による平衡保持手段を示す図である。
【図９】図９は、本発明の一実施例による平衡保持手段の作動図である。
【図１０】図１０は、本発明の他の実施例による平衡保持手段を示す図である。
【図１１】図１１は、本発明の他の実施例による平衡保持手段のプレート軸とギア棒を示す図である。
【発明を実施するための形態】
【００５９】
以下、添付の図面を参照して、本発明の実施例を具体的に説明すると、以下の通りである。本発明の実施例は、様々な形態に変形可能であり、本発明の範囲が、後述する実施例に限定されることと解析されてはいけない。本実施例は、当該発明が属する技術の分野における通常の知識を有する者に、本発明をより詳しく説明するために提供される。そこで、図面に示されている各要素の形状は、より明らかな説明を強調するために、誇張することもある。
【００６０】
図１は、本発明の一実施例による固形化粧料の成形方法を示す図、図２は、本発明の一実施例による充填ガイド部材及び化粧料の成形方法を示す図、図３は、本発明の一実施例による固形化粧料が安着された化粧品容器の平面図、図４は、本発明の一実施例による固形化粧品容器の分解斜視図、図５は、本発明の一実施例によるプレート軸と化粧料プレートの作動図、図６は、本発明の一実施例によるグラインダの断面図、図７（ａ）は、本発明の一実施例による吐出溝、下向き端部が所定の勾配を有するように傾斜して構成された切削刃が示されているグラインダの部分断面図、図７（ｂ）は、本発明の他の実施例による吐出溝、下向き端部が垂直に延在し、４５度の角度を有する直角三角形状である切削刃が示されているグラインダの部分断面図、図８は、本発明の一実施例による平衡保持手段を示す図、図９は、本発明の一実施例による平衡保持手段の作動図、図１０は、本発明の他の実施例による平衡保持手段を示す図、図１１は、本発明の他の実施例による平衡保持手段のプレート軸とギア棒を示す図である。
【００６１】
本発明による固形化粧品容器の化粧品内容器１０に化粧料（ｐ）を充填し固化させて成形する方法は、以下のような工程ステップで行われる。
【００６２】
（Ａ１）化粧料準備ステップ
化粧料（ｐ）は、パウダー粉状、又はワックス含有の溶融された液状の化粧料などを用意する。
【００６３】
これは、化粧料成形ステップにおいて、化粧品容器内に、パウダー粉状の化粧料又はワックス含有の液状化粧料を充填して固化させるためのことで、パウダー粉を圧縮するか、又は、パウダーを練って固い固形化粧料に成形するか、又は、ワックス含有の液状化粧料を充填して固化させて、固形タイプの化粧料に成形する。
【００６４】
（Ａ２）化粧料が収まる化粧品内容器準備ステップ
本発明による化粧料が充填固化される化粧品容器の構成は、以下の通りである。
【００６５】
固形化粧品容器は、化粧品内容器１０と、化粧品内容器１０の内側底面に配設されるプレート軸２０と、プレート軸２０と結合され、化粧料（ｐ）が安着される化粧料プレート３０と、プレート軸２０を回動して、化粧料プレート３０が上下方向に移動するように結合され、回転しながら、化粧料（ｐ）の上面を切削するように配設されるグラインダ４０とを含む。
【００６６】
化粧品内容器１０は、上部が開放され、内部に化粧料（ｐ）が収まる収容部が設けられており、側面は、第１の側面部１１と第２の側面部１２が段差を置いて、内部から外部に順次一定の間隔離隔して設けられ、第２の側面部１２の外側の上縁には、円環突起１３が形成され、円環突起１３の下部の所定位置には、鍔状の受け部１４が設けられる。
【００６７】
また、化粧品内容器１０の第１の側面部１１の内側面には、複数の第１の突出ガイド１１ａが上下方向に突設している。これは、後述するようにプレート軸２０に結合された化粧料プレート３０が回転せず、上下方向にのみ移動するようにガイドする。
【００６８】
そして、収容部の底面中央には、所定の高さを有するガイド壁１５が、所定の内径を有するように形成され、ガイド壁１５の内側面にも、上下方向に第２の突出ガイド１５ａが設けられている。
【００６９】
プレート軸２０は、化粧品内容器１０の内側底面に配設され、所定のサイズを有する回転板２１と、回転板２１の中心部に垂直に立設された回転軸棒２２とを有する。回転軸棒２２には、断面が多角形状である軸棒貫通孔２２ａが上下に設けられている。この軸棒貫通孔２２ａには、後述するようにグラインダ４０のシャフト４４が嵌合して、グラインダ４０の回転により、プレート軸２０が回動するようにする。
【００７０】
また、プレート軸２０の回転軸棒２２の外側面には、ねじ山が刻まれている。
【００７１】
化粧料プレート３０には、化粧料（ｐ）が安着され、プレート軸２０と螺合して、プレート軸２０の回動により上下動するもので、化粧料（ｐ）が安着されるプレート上面部３１と、プレート上面部３１の縁から下向きに折曲形成された所定の高さを有するプレート側面部３２と、プレート上面部３１の中心部に形成された結合貫通孔に連通するように下向きに設けられ、内部にねじ山が刻まれた軸結合部３３とを含む。
【００７２】
軸結合部３３は、前記プレート軸２０の回転軸棒２２と螺合し、化粧料プレート３０は、グラインダ４０の回転で左側又は右側に回動する回転軸棒２２により、上向き又は下向きに上下並進運動することになる。
【００７３】
プレート側面部３２の外側面には、化粧品内容器１０の第１の側面部１１の内側面に形成された複数の第１の突出ガイド１１ａに拘束されて上下方向にガイドされる複数の第１のガイド溝３２ａが、複数の第１の突出ガイド１１ａに対応して、上下方向に設けられている。
【００７４】
また、化粧料プレート３０の下方には、軸結合部３３を基準に、所定の高さを有するガイド溝壁３５が環状に設けられている。このようなガイド溝壁３５は、プレート上面部３１が受ける荷重を分散して、支え力を上げる役割を果たす。また、ガイド溝壁３５の外側面には、化粧品内容器１０の底面に形成されたガイド壁１５の第２の突出ガイド１５ａに拘束されて上下方向にガイドされる複数の第２のガイド溝３５ａが、複数の第２の突出ガイド１５ａに対応して、上下方向に設けられている。
【００７５】
ここで、ガイド溝壁３５は、化粧品内容器１０の底面に形成されたガイド壁１５の内径より小さいか、同一であるのが望ましく、ガイド溝壁３５とガイド壁１５の高さは、化粧料プレート３０のプレート側面部３２の高さより小さいか、又は同一であるのが望ましい。
【００７６】
これは、化粧品内容器１０の底面と化粧料プレート３０の間の空間が増えて、化粧料（ｐ）が安置される化粧料プレート３０の上部空間が相対的に減ることを防止し、且つ、化粧料プレート３０の上部に安置される化粧料（ｐ）の荷重により、化粧料プレート３０の中央部が下部に垂れて、プレート側面部３２に形成された第１の突出ガイド１１ａが、化粧品内容器１０の第１のガイド溝３２ａから離脱するか、軸結合部３３に螺合したプレート軸２０の回転軸棒２２の螺合がずれて、上下方向への垂直ガイドが妨げられることを防止する。
【００７７】
また、ガイド溝壁３５の内径のサイズは、プレート軸２０の回転板２１の径よりも大きく設定し、作動前、回転板２１がガイド溝壁３５の内径内に位置して、回転板２１の下面位置がガイド溝壁３５の底部の位置と同一であるか、底部の位置よりも上側に配置するようにする。
【００７８】
このような化粧料プレート３０の構成により、化粧料プレート３０は回転せず、プレート側面部３２が、化粧品内容器１０の第１の突出ガイド１１ａに拘束されて上下方向にガイドされるか、又は、プレート上面部３１の下方に設けられたガイド溝壁３５が、化粧品内容器１０のガイド壁１５に設けられた第２の突出ガイド１５ａに拘束されて上下方向にガイドされることで、安定した化粧料（ｐ）を安着したまま、上下方向にガイドされて移動することができる。
【００７９】
グラインダ４０は、プレート軸２０と連結され、回転力をプレート軸２０に伝達して、プレート軸２０を回動させ、回動するプレート軸２０により、化粧料プレート３０が上下方向に移動するようにし、また、同時に回転しながら、化粧料（ｐ）の上面を切削して外部に吐出させるもので、縁が上部に突出し、底が扁平な井戸状に形成され、底面に吐出溝４１ａが複数設けられたグラインダ上面部４１と、グラインダ上面部４１の縁から下向きに所定の高さを有するように折曲形成され、内側面縁に環状溝４２ａが設けられるグラインダ側面部４２と、グラインダ上面部４１の下方に所定サイズの高さと内径を有するように設けられる環状封止部４３と、下部の中心部に下面と一体に設けられ、断面が多角形状のシャフト４４とを含む。
【００８０】
グラインダ上面部４１の底面に設けられる吐出溝４１ａは、底面の中心軸を基準に、中心部から縁まで細長く形成されたスリット状であり、各吐出溝４１ａの下方一側のスリット辺には、吐出溝４１ａに沿って、切削刃４１ｂが一定の高さに突設され、グラインダ４０の回転により、化粧料（ｐ）の上面を薄く切削し、吐出溝４１ａを介して、底面の上部に吐出させる。
【００８１】
この時、吐出溝４１ａの長さは、化粧料プレート３０に安着された化粧料の半径よりも大きいのが望ましい。これは、後述するように、化粧品内容器１０の第１の側面部１１の内側面と化粧料（ｐ）の側面の間に設けられた余裕空間（Ｃ）に、切削又はせり出された化粧料が安着されるようにするためである。
【００８２】
ここで、切削刃４１ｂは、図７の（ａ）に示しているように、化粧料（ｐ）を切削して、吐出溝４１ａの上側に吐出しやすくするだけでなく、吐出されない切削済みの化粧料の残量を最小化するように、その下向き端部が前方向に所定の勾配を有するように傾斜して形成することができる。また、図７の（ｂ）に示しているように、切削刃４１ｂの下向き端部が垂直に延び、４５度の角度を有する直角三角形状で構成することもできる。
【００８３】
本発明で例示していることの他に、回転切削が容易であるように、切削刃４１ｂの下向き端部の形状及び角度を様々に設定することができる。これにより、化粧料の掻かれムラを防止し、化粧料を正常に切削して吐出させる。
【００８４】
また、吐出溝４１ａ及び切削刃４１ｂは、単一に設けられる。この際、このような切削刃４１ｂの高さは、その下向き端部の勾配などの形状変化により、適切に変更可能である。
【００８５】
一方、吐出溝４１ａ及び切削刃４１ｂは、多数個設けることもできる。ここで、第１の吐出溝４１ａ−１に設けられた第１の切削刃４１ｂ−１と、第２の吐出溝４１ａ−２に設けられた第２の切削刃４１ｂ−２との高さは、同一又は異なってもよく、この際、第２の吐出溝４１ａ−２は、第１の吐出溝４１ａ−１を介して吐出されなかった化粧料（ｐ）が吐出される補助手段として働くことができる。
【００８６】
ここで、複数の切削刃の高さを順次小さく形成するか、高低を周期的に持たせることで、化粧料を経済的に使用することができる。
【００８７】
すなわち、第２の吐出溝４１ａ−２に設けられた第２の切削刃４１ｂ−２の高さを、第１の吐出溝４１ａ−１に設けられた第１の切削刃４１ｂ−１の高さよりも小さく形成することで、グラインダ４０の１回転により、第２の吐出溝４１ａ−２に吐出される化粧料の量は、第１の吐出溝４１ａ−１に吐出される化粧料の量よりも少なくなるので、グラインダ４０の上部に吐出される全体の化粧料の量が調節され、結果として、ユーザは、化粧料を経済的に使用することができることになる。
【００８８】
複数の切削刃４１ｂの高さは、その下向き端部の勾配、吐出溝４１ａ及び切削刃４１ｂの数、切削刃４１ｂ間の間隔などによる形状変化によっても、統一又は個別に様々に変更可能である。なぜなら、グラインダ４０の回転角度により、化粧料プレート３０が上向きに移動しながら、化粧料（ｐ）の表面が上昇するためである。
【００８９】
一方、切削刃４１ｂで切削された化粧料が、吐出溝４１ａを介して吐出されるようにするためには、吐出溝４１ａがグラインダ４０の回転方向に対して、切削刃４１ｂよりも前に位置すべきである。
【００９０】
また、環状封止部４３は、内径のサイズが、化粧品内容器１０の第１の側面部１１の外経と同じく構成される。これは、環状封止部４３が、化粧品内容器１０の第１の側面部１１と第２の側面部１２の間に位置して回転することにおいて、第１の側面部１１の上部外側に密着して結合されて、化粧品内容器１０の第１の側面部１１の内側面内に収まれている化粧料（ｐ）が外部に漏れることを防止するためである。
【００９１】
また、シャフト４４は、プレート軸２０の回転軸棒２２の軸棒貫通孔２２ａに嵌合して、回転軸棒２２を拘束しており、シャフト４４の断面形状は、軸棒貫通孔２２ａの断面形状と同じ多角形状である。これは、シャフト４４の回転力がそのまま、回転軸棒２２を回転させることに用いられるためである。
【００９２】
また、グラインダ側面部４２の内側面縁に形成された環状溝４２ａは、化粧品内容器１０の第２の側面部１２の外側の上縁に形成された円環突起１３に嵌合して、外部よりグラインダ４０に加えられる回転力に対して、グラインダ４０が共同の上下中心軸を基準に、化粧品内容器１０に対して相対的に円周に沿って回転されるようにする。
【００９３】
グラインダ側面４２の外側面には、ユーザが取って回転することにおいて、滑りを防止するために、突起や溝などの滑り止め部４２ｂを設けることができる。
【００９４】
また、吐出溝４１ａが形成されるグラインダ上面部４１の底面の上部には、吐出溝４１ａをシールするシーリング材（図示せず）を設けることができる。
【００９５】
また、グラインダ４０の上面には、脱着式で開閉されるリッド状のパフ受け５０を設けることができる。これは、化粧品内容器１０の内部の化粧料（ｐ）、及びグラインダ４０の上面の汚れを防止し、パフを別に保管するためである。
【００９６】
そして、本発明では、化粧料プレート３０が、作動過程において、中心軸を基準に左右に転がることを防止し、平衡を保持する平衡保持手段を備える。これは、化粧料プレート３０に安着されている化粧料（ｐ）の上面がムラなく切削されて、所望する一定量の化粧料を吐出させるためである。
【００９７】
平衡保持手段は、化粧料プレート３０の下面と化粧品内容器１０の底面の間に設けられ、複数の弾性体からなる第１の平衡保持手段６１０と、複数のギア部が連動して作動する構造からなる第２の平衡保持手段６２０とを有する。
【００９８】
ここで、第１の平衡保持手段６１０は、図８及び図９に示しているように、複数の圧縮された弾性体（Ｓ）が、化粧料プレート３０の中心軸を基準に、所定距離に放射状に配列され、各弾性体（Ｓ）の前端は、化粧料プレート３０の下面の所定位置に拘束固定され、各弾性体（Ｓ）の後端は、化粧品内容器１０の底面の対応位置に拘束固定される。この時、各弾性体（Ｓ）は、プレート軸２０の回動により、化粧料プレート３０が上向きに移動するとき、弾性圧縮が解除され、上向きに移動する化粧料プレート３０の下面を受け止めることになるので、ローリングが防止される。
【００９９】
また、第２の平衡保持手段６２０は、図１０に示しているように、複数のギア部６２１が連動して作動する構造であって、化粧料プレート３０の中心部に形成された軸結合部３３０に結合する鋸歯形状を有する回転板２１０、及び回転板２１０の中心部に９０度に形成された回転軸棒２２０からなるプレート軸２００と、プレート軸２００の回転板２１０に噛合して回動する鋸歯形状を有する連動回転板６２１ａ、及び連動回転板６２１ａの中心部に９０度に形成され、外側面にねじ山が刻まれる連動回転軸棒６２１ｂからなる複数のギア部６２１と、化粧料プレート３０の下面の所定位置に下向きに設けられ、連動回転軸棒６２１ｂと螺合するナット状の複数の連動軸結合部６２２とを含む。
【０１００】
ここで、化粧料プレート３０の中心部に形成された軸結合部３３０には、前記プレート軸２００の回転軸棒２２０が螺合し、複数の連動軸結合部６２２には、複数のギア部６２１の各連動回転軸棒６２１ｂが螺合する。この時、回転軸棒２２０のねじ山方向と連動回転軸棒６２１ｂのねじ山方向は、互いに逆方向であり、これに合わせて、軸結合部３３０のねじ山方向と連動軸結合部６２２のねじ山方向も互いに逆方向である。これは、プレート軸２００の回転板２１０が回動しながら、噛合しているギア部６２１の連動回転板６２１ａに回動力を供しているので、回転板２１０と連動回転板６２１ａの回動方向は、互いに逆方向となるためである。
【０１０１】
このような第２の平衡保持手段６２０の構成により、化粧料プレート３０は、グラインダ４０の回転で左側又は右側に回動する回転軸棒２２０、及びこれに連動して右側又は左側に回転する連動回転軸棒６２１ｂにより、上向き又は下向きに上下並進運動することに際して、化粧料プレート３０が片側に傾けるか又は転がることなく、平衡を維持したまま上下動が可能となる。
【０１０２】
すなわち、上下方向に移動する化粧料プレート３０の下面を、プレート軸２００と複数のギア部６２１が共に受け止めることになるので、平衡が維持することができる。
【０１０３】
本発明による第２の平衡保持手段６２０の構成においては、化粧品内容器１０の底面にガイド壁１５を形成することができないので、化粧料プレート３０の下面にガイド溝壁３５を設ける必要がなく、それによる第２の突出ガイド１５ａ及び第２のガイド溝３５ａも不要である。
【０１０４】
このような平衡保持手段により、化粧料プレート３０上に設けられた化粧料（ｐ）が非対称的に切削されることを防止することができる。
【０１０５】
本発明において、化粧品内容器１０は、グラインダ４０の回転が容易であるように、円形に構成しているが、これに限るものではなく、グラインダ４０の回転が可能な様々な形状に形成できることは、言うまでもない。
【０１０６】
（Ａ３）化粧品内容器内に設けられた化粧料プレート３０に、充填ガイド部材７０を配設するステップ
上述した構成を有する固形化粧品容器の化粧品内容器１０に、化粧料（ｐ）を充填固化させて成形するために、まず、化粧料プレート３０にプレート軸２０を螺合して、回転軸棒２２が化粧料プレート３０の中心上部に突出するようにした後、化粧品内容器１０の底に、プレート軸２０と結合された化粧料プレート３０を配設する。
【０１０７】
この時、化粧品内容器１０の第１の側面部１１の内側面に形成された複数の第１の突出ガイド１１ａに、化粧料プレート３０のプレート側面部３２の外側面に形成された複数の第１のガイド溝３２ａが拘束されるように結合させる。
【０１０８】
その後、化粧料プレート３０の上縁と、化粧品内容器１０の第１の側面部１１の内側面に密着されるように、上下通孔が形成された充填ガイド部材７０を配設する。
【０１０９】
ここで、充填ガイド部材７０は、上部に、外側に鍔が形成された中空の筒状構造体であって、化粧品内容器１０の内側面に密着される直径を有するように構成される。
【０１１０】
この時、充填ガイド部材７０の内側面は、アノダイジング法（＋極と−極を用いて希釈された酸化液で、製作された加工品を酸化させて、加工品の表面に酸化皮膜が形成され、塗色が行われる作業工程）で表面処理して、化粧料（ｐ）を充填した後、充填ガイド部材７０を除去することに際して、化粧料（ｐ）がくっつくことなく、剥がれやすくなるようにするのが望ましい。また、充填ガイド部材７０に化粧料（ｐ）が付着することを防止するために、充填ガイド部材７０の内側面に、シリコン離型剤などを更に塗布することができる。
【０１１１】
このような充填ガイド部材７０は、化粧料（ｐ）が固化過程で化粧品内容器１０の内側面に密着してくっつくような現象を防止し、化粧品内容器１０の内側面と化粧料（ｐ）の側面の間に所定径の余裕空間を設けるためである。
【０１１２】
本発明では、充填ガイド部材７０を中空の円筒形状として示しているが、これに限るものではなく、中空の円筒形状の内部に、小径の中空の円筒を更に備えた同心円筒形状７０ａや、中空の円筒形状の内部に仕切りを設置して、空間を２等分した二等分形状７０ｂ、又はｎ等分したｎ等分形状などを設けて、互いに異なる異種又は異形の化粧料（ｐ）を充填するように構成することができる。
【０１１３】
（Ａ４）充填ガイド部材７０内に化粧料を充填して固化させるステップ
粉状又は溶融された液状化粧料（ｐ）を、充填ガイド部材７０の通孔内に充填し、冷却して固化させる。
【０１１４】
このように、化粧料（ｐ）の充填及び固化過程において、充填ガイド部材７０を用いることで、粉状又は溶融された液状化粧料（ｐ）が、化粧品内容器１０の第１の側面部１１の内側面、及び内側面に形成された複数の第１の突出ガイド１１ａに密着したまま固化されることを防止することができる。
【０１１５】
上記のように化粧料（ｐ）が、化粧品内容器１０の第１の側面部１１の内側面、及び内側面に形成された複数の第１の突出ガイド１１ａに密着したまま固化されると、化粧料プレート３０の第１のガイド溝３２ａが、第１の突出ガイド１１ａに沿って上下方向にガイドされることが難しくなる。
【０１１６】
（Ａ５）充填ガイド部材７０を除去して、化粧品内容器の内側面と固化済み化粧料の側面の間に余裕空間を設けるステップ
化粧料（ｐ）が固化された後に、充填ガイド部材７０を除去して、化粧品内容器１０の第１の側面部１１の内側面と化粧料（ｐ）の側面の間に、充填ガイド部材７０の厚さ分の余裕空間（Ｃ）を設ける。
【０１１７】
このような余裕空間（Ｃ）により、化粧料（ｐ）の側面は、化粧品内容器１０の第１の側面部１１の内側面、及び内側面に形成された複数の第１の突出ガイド１１ａに密着しなくなり、これにより、化粧料プレート３０の第１のガイド溝３２ａが、第１の突出ガイド１１ａに沿って、上下方向に円滑にガイドされることになる。
【０１１８】
また、化粧品内容器１０の第１の側面部１１の内側面と、化粧料（ｐ）の側面の間に形成された所定径の余裕空間（Ｃ）は、化粧料（ｐ）の上面の切削過程でせり出された化粧料、又はグラインダ４０の扁平な底面によりせり出された化粧料が落下して安着されることができる。
【０１１９】
すなわち、グラインダ４０の回転により、化粧料（ｐ）の上面が切削される過程において、化粧料（ｐ）の上面縁側で切削された化粧料のうち、一部は吐出され、一部はせり出されて余裕空間（Ｃ）に落下して安着されることができる。また、回転するグラインダ４０の切削刃４１ｂにより、化粧料（ｐ）の上面の所定部分が切削されるが、切削された上面と切削されない上面は、高さの差が生じ、切削されない化粧料（ｐ）の上面は、回転するグラインダ４０の底面によって圧着力を受けてせり出されるが、この時、せり出された化粧料の一部が、余裕空間（Ｃ）に落下して安着されることで、化粧料（ｐ）の上部表面を滑らかに維持することができることになる。
【０１２０】
上述した過程を経て、化粧品容器内に固形化粧料の成形ステップが終わると、化粧品内容器１０の上部にグラインダ４０を結合する。この際、グラインダ４０がプレート軸２０の回転軸棒２２と嵌合し、グラインダ４０の底面が、化粧料（ｐ）の上面に配設されるようにする。
【０１２１】
一方、本発明では、化粧料（ｐ）の充填及び固化過程が、内容器１０内で行われることと説明したが、化粧料プレート３０の上面の構造、化粧料プレート３０と充填ガイド部材７０の結合構造により、内容器１０外で化粧料（ｐ）が充填及び固化され、該当化粧料（ｐ）が安着された化粧料プレート３０が、内容器１０内に移動されることもできる。
【０１２２】
本発明による固形化粧料容器を作動させる過程を説明すると、以下の通りである。
【０１２３】
ユーザがグラインダ４０の側面を取って、化粧品内容器１０に対して相対的に一方向に回転させると、グラインダ４０と結合されたプレート軸２０が回転することになる。
【０１２４】
プレート軸２０が回転することにつれ、プレート軸２０とねじ山で結合された化粧料プレート３０が、化粧品内容器１０に設けられた第１の突出ガイド１１ａ及び／又は第２の突出ガイド１５ａに沿って、上向きに移動することになる。
【０１２５】
化粧料プレート３０が上向きに移動することにつれ、化粧料プレート３０の上面に設けられた化粧料（ｐ）も、上向きに移動することになり、上向きに移動された化粧料（ｐ）は、回転するグラインダ４０の切削刃４１ｂにより、化粧料（ｐ）の上面が削られ、削られた化粧料（ｐ）は、吐出溝４１ａを介して、グラインダ４０の上面部に吐出することになる。
【０１２６】
たとえ、本発明を前記で言及した好適な実施例に関連して説明したが、本発明の要旨と範囲から逸脱することなく、他の様々な修正や変形が可能であり、請求範囲と等しい範囲内にある全ての相違点は、本発明に含まれることと解析されるべきである。
【符号の説明】
【０１２７】
１０：  化粧品内容器
１１：  第１の側面部
１１ａ：  第１の突出ガイド
１２：  第２の側面部
１３：  円環突起
１４：  鍔状の受け部
１５：  ガイド壁
１５ａ：  第２の突出ガイド
Ｃ：  余裕空間
２０、２００：  プレート軸
２１、２１０：  回転板
２２、２２０：  回転軸棒
２２ａ：  軸棒貫通孔
３０：  化粧料プレート
３１：  プレート上面部
３２：  プレート側面部
３２ａ：  第１のガイド溝
３３、３３０：  軸結合部
３５：  ガイド溝壁
３５ａ：  第２のガイド溝
４０：  グラインダ
４１：  グラインダ上面部
４１ａ：  吐出溝
４１ａ−１：  第１の吐出溝
４１ａ−２：  第２の吐出溝
４１ｂ：  切削刃
４１ｂ−１：  第１の切削刃
４１ｂ−２：  第２の切削刃
４２：  グラインダ側面部
４２ａ：  環状溝
４２ｂ：  滑り止め部
４３：  環状封止部
４４：  シャフト
５０：  パフ受け
６１０：  第１の平衡保持手段
６２０：  第２の平衡保持手段
６２１：  ギア部
６２１ａ：  連動回転板
６２１ｂ：  連動回転軸棒
６２２：  連動軸結合部
Ｓ：  弾性体
７０：  充填ガイド部材
７０ａ：  同心円筒形状
７０Ｂ：  二等分形状
ｐ：  化粧料
【図１】
0006982654.tif 000002
【図２】
0006982654.tif 000003
【図３】
0006982654.tif 000004
【図４】
0006982654.tif 000005
【図５】
0006982654.tif 000006
【図６】
0006982654.tif 000007
【図７】
0006982654.tif 000008
【図８】
0006982654.tif 000009
【図９】
0006982654.tif 000010
【図１０】
0006982654.tif 000011
【図１１】
0006982654.tif 000012